(57)【要約】【課題】小型化を図ることができる光学装置及びプロジェクターを提供すること。【解決手段】筐体（部品収納部材）４７と、筐体４７内の所定位置に配置される反射部材４２３とを備えた光学装置４であって、筐体４７は、反射部材４２３を内部に収納するための収納用開口４７１１と、反射部材４２３が設置される設置部７とを有し、反射部材４２３は、入射される光を反射する反射領域を有する正面部４２３１と、正面部４２３１とは反対側に位置する背面部４２３２と、背面部４２３２の面内に位置し、設置部７に固定される固定部８とを有し、固定部８は、収納用開口４７１１を介して設置部７に反射部材４２３を設置する設置方向に沿って挿入された位置調整用の治具Ｊが挿入される開口部８１１を有する。【選択図】図９
2010190926.tif 000002
【特許請求の範囲】
【請求項１】
筐体と、前記筐体内の所定位置に配置される反射部材とを備えた光学装置であって、
前記筐体は、
前記反射部材を内部に収納するための収納用開口と、
前記反射部材が設置される設置部とを有し、
前記反射部材は、
入射される光を反射する反射領域を有する正面部と、
前記正面部とは反対側に位置する背面部と、
前記背面部の面内に位置し、前記設置部に固定される固定部とを有し、
前記固定部は、前記収納用開口を介して前記設置部に前記反射部材を設置する設置方向に沿って挿入された位置調整用の治具が挿入される開口部を有することを特徴とする光学装置。
【請求項２】
請求項１に記載の光学装置において、
前記固定部は、
前記設置方向に沿って延出する略円柱状のピンと、
前記設置部に当接する当接部とを有し、
前記設置部は、
前記ピンが挿入される穴部と、
前記当接部と当接し、前記固定部を支持する支持部と、
を有することを特徴とする光学装置。
【請求項３】
請求項２に記載の光学装置において、
前記当接部及び前記支持部の互いに対向する部位の一方は、前記穴部への前記ピンの挿入方向に沿う直線上に中心を有し、かつ、他方に向かって膨出した湾曲面を有し、他方は、前記設置方向に略直交する平坦面を有し、
前記穴部の端縁と、当該穴部内に挿入された前記ピンとの間には、前記湾曲面と前記平坦面との当接部位を支点とする前記反射部材の回動を許容する所定のクリアランスが設けられていることを特徴とする光学装置。
【請求項４】
請求項３に記載の光学装置において、
前記当接部は、前記ピンの基端部に形成され、
前記ピンの中心軸と、前記当接部位を支点として前記反射部材を傾ける際の中心軸との交点は、前記反射部材が前記筐体内に収納された際に、当該反射部材に入射される光束の光軸の延長線上にほぼ位置することを特徴とする光学装置。
【請求項５】
請求項１から請求項４のいずれかに記載の光学装置において、
前記固定部は、前記開口部の端縁を形成し、それぞれ前記治具が当接する一対の当接面を内部に有し、
前記一対の当接面のうち、少なくとも一方は、前記治具の挿入方向に向かうに従って他方に近接する傾斜面であることを特徴とする光学装置。
【請求項６】
請求項１から請求項５のいずれかに記載の光学装置を備えることを特徴とするプロジェクター。
【発明の詳細な説明】
【技術分野】
【０００１】
本発明は、光学装置、及び、当該光学装置を備えるプロジェクターに関する。
【背景技術】
【０００２】
従来、光源と、当該光源から射出された光束を変調して、画像情報に応じた画像光を形成する光変調装置と、形成された画像光をスクリーン等の投射面上に拡大投射する投射光学装置とを備えたプロジェクターが知られている。このようなプロジェクターは、これらの他に、光源から射出された光束の透過領域内の光量を均一にするレンズ部材、及び、当該光束の光路を変更する反射部材等の複数の光学部品と、これら複数の光学部品を内部に収納する光学部品用筐体とを有する光学装置を備え、各光学部品は、光学部品用筐体の内部に設定された照明光軸上の所定の位置に収納配置される。
【０００３】
これら光学部品のうち、入射光束の光路を変更する反射部材は、光学部品用筐体に対して適切に位置調整される必要がある。具体的に、反射部材は、設計上の位置に適切に配置されていないと、入射光束を適切な位置に反射することができず、光源から射出された光束の利用効率が低下したり、或いは、形成される画像光が劣化したりする。このため、反射部材としての反射ミラーの背面側（光束入射側とは反対側）に姿勢調整用のレバーを設け、当該レバーを操作して、反射ミラーの位置調整を行う構成が知られている（例えば、特許文献１参照）。
【０００４】
この特許文献１に記載の反射ミラーは、光学部品用筐体を構成する部品収納部材に形成された反射ミラー設置部に、付勢部材により当該設置部側に付勢された状態で設置される。そして、部品収納部材が有する光学部品収納用の開口部は、同じく光学部品用筐体を構成する蓋状部材で閉塞され、当該蓋状部材の開口部から突出したレバーが操作されることで、反射ミラーの位置調整が行われる。
【先行技術文献】
【特許文献】
【０００５】
【特許文献１】特開２００５−２０２１４８号公報
【発明の概要】
【発明が解決しようとする課題】
【０００６】
しかしながら、前述の特許文献１に記載のプロジェクターでは、光学部品用筐体の外部にレバーが突出することとなるため、反射ミラーを内部に収納した光学部品用筐体が大型化するという問題がある。特に、プロジェクター内に設けられ、当該プロジェクター全体を制御する制御基板が、光学部品用筐体を有する光学装置を覆うように設けられる場合には、当該光学装置が大型化すると、プロジェクター全体の寸法に大きく影響する。このため、小型化を図ることができる光学装置が要望されてきた。
【０００７】
本発明の目的は、小型化を図ることができる光学装置及びプロジェクターを提供することである。
【課題を解決するための手段】
【０００８】
前記した目的を達成するために、本発明の光学装置は、筐体と、前記筐体内の所定位置に配置される反射部材とを備えた光学装置であって、前記筐体は、前記反射部材を内部に収納するための収納用開口と、前記反射部材が設置される設置部とを有し、前記反射部材は、入射される光を反射する反射領域を有する正面部と、前記正面部とは反対側に位置する背面部と、前記背面部の面内に位置し、前記設置部に固定される固定部とを有し、前記固定部は、前記収納用開口を介して前記設置部に前記反射部材を設置する設置方向に沿って挿入された位置調整用の治具が挿入される開口部を有することを特徴とする。
【０００９】
本発明によれば、筐体に設けられた設置部に固定される反射部材の固定部は、背面部の面内に位置している。これによれば、反射部材を光束入射側から見た際に、当該反射部材の外側に突出する構成がない。従って、反射部材を筐体に取り付けた際に、前述の特許文献１に記載のレバーのように筐体の外側に突出する構成がないので、光学装置の小型化を図ることができる。
また、固定部は、収納用開口を介して反射部材を設置部に設置する設置方向に沿って治具が挿入される開口部を有しているので、当該治具を反射部材に係合させやすくすることができる。従って、反射部材と治具との係合、及び、当該係合の解除を容易に行うことができ、当該反射部材の位置調整を容易に行うことができる。
【００１０】
本発明では、前記固定部は、前記設置方向に沿って延出する略円柱状のピンと、前記設置部に当接する当接部とを有し、前記設置部は、前記ピンが挿入される穴部と、前記当接部と当接し、前記固定部を支持する支持部と、を有することが好ましい。
【００１１】
本発明によれば、穴部に挿入されたピンの中心軸を中心として反射部材を回動させることで、当該反射部材の位置調整を行うことができる。この位置調整の際には、支持部により、固定部ひいては反射部材が支持されるので、反射部材の位置調整を行う治具が、当該反射部材を保持する必要がない。従って、反射部材の位置調整を容易に行うことができるほか、治具の構成を簡略化することができる。
【００１２】
本発明では、前記当接部及び前記支持部の互いに対向する部位の一方は、前記穴部への前記ピンの挿入方向に沿う直線上に中心を有し、かつ、他方に向かって膨出した湾曲面を有し、他方は、前記設置方向に略直交する平坦面を有し、前記穴部の端縁と、当該穴部内に挿入された前記ピンとの間には、前記湾曲面と前記平坦面との当接部位を支点とする前記反射部材の回動を許容する所定のクリアランスが設けられていることが好ましい。
【００１３】
本発明によれば、当接部及び支持部の一方は湾曲面を有し、他方は平坦面を有している。これによれば、当該当接部及び支持部の当接部位を支点とし、一方に対して他方が倣う方向（ピンの中心軸に対する直交方向を中心軸として回動する方向であり、あおり方向）に反射部材を傾けることで、当該方向の反射部材の位置調整を行うことができる。ここで、ピンと穴部の端縁との間には所定のクリアランスが設けられているので、当該反射部材の位置調整が妨げられることがない。従って、反射部材の位置調整における調整方向を増やすことができ、当該反射部材をより適切な位置に設置することができる。
【００１４】
本発明では、前記当接部は、前記ピンの基端部に形成され、前記ピンの中心軸と、前記当接部位を支点として前記反射部材を傾ける際の中心軸との交点は、前記反射部材が前記筐体内に収納された際に、当該反射部材に入射される光束の光軸の延長線上にほぼ位置することが好ましい。
【００１５】
本発明によれば、反射部材の位置調整に際して、正面部において光束が入射される領域（入射領域）の両端の変位量を略均等にすることができる。
具体的に、ピンの中心軸を中心として反射部材を回動させる場合、当該中心軸上の一点が、入射される光束の光軸の延長線上に位置していることにより、当該光束の入射領域における当該中心軸に直交する方向の両端の変位量を略均等にすることができる。
また、当接部と支持部との当接部位を支点として反射部材を傾ける場合、反射部材の傾斜の中心軸が、入射される光束の光軸の延長線上に位置していることにより、当該光束の入射領域における当該中心軸に直交する方向の両端の変位量、すなわち、ピンの中心軸に沿う方向の両端の変位量を略均等にすることができる。
従って、反射部材を位置調整する際に、光束の入射領域における両端の変位量を略均等にすることができるので、反射部材の位置調整を適切に行うことができる。
【００１６】
本発明では、前記固定部は、前記開口部の端縁を形成し、それぞれ前記治具が当接する一対の当接面を内部に有し、前記一対の当接面のうち、少なくとも一方は、前記治具の挿入方向に向かうに従って他方に近接する傾斜面であることが好ましい。
【００１７】
本発明によれば、治具は、開口部の端縁を形成する一対の当接面に当接する。この一対の当接面のうち、少なくとも一方は、治具の挿入方向に向かうに従って他方に近接する傾斜面であるので、当該開口部内に挿入された治具と、当該当接面とを確実に係合させることができる。また、これにより、設置部における固定部の揺動を防ぐために、治具の挿入方向（すなわち、設置部への反射部材の設置方向）に、当該治具が固定部に荷重を加えやすくすることができる。更に、反射部材の位置調整後に、治具を開口部内から抜き易くすることができる。従って、反射部材の位置調整を一層容易に行うことができる。
【００１８】
また、本発明のプロジェクターは、前述の光学装置を備えることを特徴とする。
本発明によれば、前述の光学装置と同様の効果を奏することができ、ひいては、プロジェクターの小型化を図ることができる。
【図面の簡単な説明】
【００１９】
【図１】本発明の一実施形態に係るプロジェクターを示す斜視図。
【図２】本発明の一実施形態に係る光学装置の構成を示す模式図。
【図３】本発明の一実施形態に係る設置部を示す斜視図。
【図４】本発明の一実施形態に係る反射部材を示す図。
【図５】本発明の一実施形態に係る反射部材を上方から見た斜視図。
【図６】本発明の一実施形態に係る反射部材を下方から見た斜視図。
【図７】本発明の一実施形態に係る設置部、反射部材及び治具を示す斜視図。
【図８】本発明の一実施形態に係る設置部、反射部材及び治具を示す縦断面図。
【図９】本発明の一実施形態に係る設置部、反射部材及び治具を示す縦断面図。
【図１０】本発明の一実施形態に係る設置部、反射部材及び治具を示す平面図。
【図１１】本発明の一実施形態に係る反射部材の回動中心と、入射光束の光軸との位置関係を示す図。
【発明を実施するための形態】
【００２０】
以下、本発明の一実施形態を、図面に基づいて説明する。
〔プロジェクターの構成〕
図１は、本実施形態に係るプロジェクター１を正面側から見た斜視図である。
本実施形態に係るプロジェクター１は、外部機器等から受信される画像情報に応じた画像光を形成し、当該画像光をスクリーン等の投射面上に投射するものである。このプロジェクター１は、図１に示すように、外装筐体２と、当該外装筐体２内に収納される装置本体３とを備えている。
このうち、外装筐体２は、全体略直方体形状を有する合成樹脂製の筐体である。この外装筐体２は、上部を形成するアッパーケース（図示省略）と、下部を形成するロアーケース２２と、正面部（後述する投射光学装置４５により画像光を投射する側の部分）を形成するフロントケース（図示省略）とを備えている。
【００２１】
〔装置本体の構成〕
装置本体３は、前述の画像情報を処理して、当該画像情報に応じた画像光を形成及び投射するものであり、ロアーケース２２に固定される。この装置本体３は、光学装置４、電源装置５、冷却装置６及び制御装置（図示省略）を備えている。
このうち、電源装置５は、プロジェクター１の正面側に配置され、外部から入力された商用交流電流を直流変換した後、昇圧及び降圧して、プロジェクター１を構成する各電子部品に直流電流を供給する。
【００２２】
冷却装置６は、複数のファン（例えば、ファン６２，６３）及び複数のダクト（例えば、ダクト６１）を備えて構成されている。この冷却装置６は、制御装置による制御下で回転するファンにより、外装筐体２に形成された吸気口（図示省略）を介して外部の空気を導入し、当該空気を用いて、光学装置４、電源装置５及び制御装置等を冷却する。また、冷却装置６は、ロアーケース２２に形成された排気口２２１を介して、冷却に供された空気を外部に排出する。
【００２３】
制御装置は、プロジェクター１の動作を制御するものである。例えば、制御装置は、外装筐体２に設けられたキー（図示省略）に対する入力操作に応じた処理を実行するほか、入力された画像情報を処理して、当該画像情報に応じた駆動信号を光学装置４に出力する。この制御装置は、詳しい図示を省略するが、ＣＰＵ（Central Processing Unit）等が実装された回路基板として構成され、光学装置４の上方に配置される。
【００２４】
〔光学装置の構成〕
図２は、光学装置４の構成を示す模式図である。
光学装置４は、前述の制御装置から入力される駆動信号に応じた画像光を形成し、当該画像光を投射面上に投射する。この光学装置４は、外装筐体２の背面に沿って延出するとともに、当該外装筐体２の側面に沿って延出する平面視略Ｌ字形状を有している。
この光学装置４は、図２に示すように、照明光学装置４１と、色分離光学装置４２と、リレー光学装置４３と、電気光学装置４４と、投射光学装置４５と、内部に設定された照明光軸Ａ上に各装置４１〜４５を収納配置する光学部品用筐体４６とを備えている。
【００２５】
照明光学装置４１は、光源装置４１１、レンズアレイ４１２，４１３、偏光変換素子４１４及び重畳レンズ４１５を備えている。
光源装置４１１は、超高圧水銀ランプ等の放電型の光源ランプ４１６と、当該光源ランプ４１６から射出された光を反射して所定位置に収束させるリフレクタ４１７と、リフレクタ４１７にて収束される光束を照明光軸Ａに対して平行化する平行化凹レンズ４１８とを備えている。なお、光源ランプ４１６に代えて、ＬＥＤ（Light Emitting Diode）等の固体光源を採用してもよい。
【００２６】
レンズアレイ４１２，４１３は、それぞれ対応する小レンズがマトリクス状に配列された構成を有する。このうち、レンズアレイ４１２は、光源装置４１１から入射された光束を複数の部分光束に分割して、レンズアレイ４１３近傍に結像させる。レンズアレイ４１３は、光路後段に位置する重畳レンズ４１５とともに、レンズアレイ４１２の各小レンズから射出された像を、後述する液晶パネル４４１の画像形成領域に結像させる。
偏光変換素子４１４は、レンズアレイ４１３から入射した各部分光束を、１種類の直線偏光光に変換する。
【００２７】
色分離光学装置４２は、２枚のダイクロイックミラー４２１，４２２及び反射部材４２３を備え、照明光学装置４１から射出された複数の部分光束を赤（Ｒ）、緑（Ｇ）、青（Ｂ）の３色の色光に分離する。これら色光のうち、緑色光及び青色光は、集光レンズ４１９を介して緑色光用及び青色光用の入射側偏光板４４２にそれぞれ入射し、赤色光は、リレー光学装置４３及び集光レンズ４１９を介して赤色光用の入射側偏光板４４２に入射する。なお、反射部材４２３の構成、及び、当該反射部材４２３の光学部品用筐体４６に対する設置については、後に詳述する。
【００２８】
リレー光学装置４３は、他の色光の光路の長さよりも長い赤色光の利用効率の低下を防止する機能を有し、当該赤色光を赤色光用の入射側偏光板４４２に入射させる。このリレー光学装置４３は、入射側レンズ４３１、リレーレンズ４３３及び反射ミラー４３２，４３４を備えている。なお、本実施形態では、リレー光学装置４３に赤色光を通す構成としたが、これに限らず、例えば、青色光を通す構成としてもよい。
【００２９】
電気光学装置４４は、入射された光束を変調して画像光を形成する。この電気光学装置４４は、光変調装置としての３つの液晶パネル４４１（赤色光用の液晶パネルを４４１Ｒ、緑色光用の液晶パネルを４４１Ｇ、青色光用の液晶パネルを４４１Ｂとする）と、各液晶パネル４４１の光束入射側及び光束射出側に配置されるそれぞれ３つの入射側偏光板４４２及び射出側偏光板４４３と、色合成光学装置としてのクロスダイクロイックプリズム（以下、「プリズム」と略す場合がある）４４４とを備え、これらが一体的に組み合わされたユニットとして構成されている。
【００３０】
各入射側偏光板４４２は、色分離光学装置４２で分離された各色光のうち、偏光変換素子４１４で揃えられた偏光方向と同一の偏光方向を有する偏光光のみ透過させ、その他の光束を吸収する。
各液晶パネル４４１は、一対の透明なガラス基板に電気光学物質である液晶が密閉封入された構成を有し、制御装置から入力される駆動信号に応じて液晶の配向状態が制御されることで、入射側偏光板４４２から射出された偏光光の偏光方向を変調する。
各射出側偏光板４４３は、液晶パネル４４１から射出された光束のうち、一定方向の偏光光（例えば、入射側偏光板４４２における光束の透過軸と直交する偏光軸を有する光束）を透過し、その他の光を吸収する。
【００３１】
プリズム４４４は、各射出側偏光板４４３から射出された光束を合成してカラー画像を形成する。このプリズム４４４は、４つの直角プリズムを貼り合わせた平面視略正方形状を有し、直角プリズム同士を貼り合わせた界面には、２つの誘電体多層膜が形成されている。これら誘電体多層膜は、液晶パネル４４１Ｇから射出され、かつ、射出側偏光板４４３を介した色光を透過し、液晶パネル４４１Ｒ，４４１Ｂから射出され、かつ、射出側偏光板４４３を介した各色光を反射する。これにより、赤色光、緑色光及び青色光が合成された画像光が形成される。
【００３２】
投射光学装置４５は、電気光学装置４４で形成された画像光を拡大投射する。この投射光学装置４５は、複数のレンズ（例えば、投射方向先端側に位置するフレネルレンズ４５１等）と、当該複数のレンズを内部に収納する鏡筒４５２とを備えた組レンズとして構成されている。
【００３３】
光学部品用筐体４６は、内部に設計上の光軸である照明光軸Ａが設定され、上述した各装置４１〜４５を照明光軸Ａ上の所定位置に配置する合成樹脂製の箱状部材である。この光学部品用筐体４６は、図１に示すように、前述の各装置４１〜４３を内部に収納するための収納用開口４７１１を有し、かつ、内部に当該各装置４１〜４３を位置決めする複数の溝部（図示省略）を有する部品収納部材４７と、収納用開口４７１１を閉塞する蓋部材４８と、電気光学装置４４及び投射光学装置４５が取り付けられるヘッド体４９とを備えている。
【００３４】
部品収納部材４７は、本発明の筐体に相当する。この部品収納部材４７は、上方に向かって開口する前述の収納用開口４７１１を有し、かつ、光源装置４１１を除く装置４１〜４３の各光学部品を内部に収納する縦断面略凹状の本体部４７１と、当該本体部４７１の一方の端部に形成され、光源装置４１１を収納する光源収納部４７２とを備えている。
このうち、光源収納部４７２は、内部に収納される光源装置４１１を囲む側壁４７２１と、当該側壁により端縁が形成され、かつ、上方に向かって開口する開口部４７２２とを有する。このため、光源収納部４７２は、光源装置４１１を上下方向に挿抜可能に構成されている。
【００３５】
〔設置部の構成〕
図３は、本体部４７１の一部を示す斜視図であり、詳述すると、当該本体部４７１に形成された設置部７を示す斜視図である。
本体部４７１は、前述の反射部材４２３が取り付けられる設置部７を有する。この設置部７は、図３に示すように、収納用開口４７１１の端縁を形成する側壁４７１２の内側に凹むように、縦断面略Ｌ字状に形成されている。このような設置部７は、互いに対向する一対の側部７１と、当該一対の側部７１の端部間を接続し、上下方向（本体部４７１の底部４７１３から起立する側壁４７１２と略平行な方向）に沿う正面部７２と、同じく一対の側部７１間を接続し、底部４７１３と略平行な支持部７３と、それぞれの側部７１に対向するように支持部７３から起立した一対のガイド部７４とを備えている。
【００３６】
このうち、支持部７３の上面（収納用開口４７１１の開口方向の面）は、平坦に形成された平坦面であり、当該支持部７３の略中央には、後述する反射部材４２３に設けられた固定部８のピン８１４が挿通する穴部７３１が形成されている。
このような設置部７には、上方から収納用開口４７１１の開口面に対する直交方向に沿って、反射部材４２３が設置される。すなわち、反射部材４２３の設置部７への設置方向は、本体部４７１が水平面上に載置された際の鉛直方向である。なお、当該設置部７に対する反射部材４２３の設置及び位置調整については、後に詳述する。
【００３７】
〔反射部材の構成〕
図４は、反射部材４２３を上方、下方、側方及び後方（背面側）から見た図である。また、図５及び図６は、反射部材４２３を上方及び下方から見た斜視図である。
反射部材４２３は、前述のように、ダイクロイックミラー４２１により分離された青色光を反射して、青色光用の集光レンズ４１９に導くミラーである。この反射部材４２３は、図４〜図６に示すように、入射される青色光を反射する反射領域が略全面に形成された略矩形状の正面部４２３１と、当該正面部４２３１の反対側を形成する背面部４２３２とを有し、当該背面部４２３２には、設置部７に固定される固定部８が接着剤等により取り付けられている。
【００３８】
〔固定部の構成〕
固定部８は、背面部４２３２の面内に設けられており、このため、反射部材４２３を正面視又は背面視した場合には、当該反射部材４２３の外側に固定部８は突出しない。このような固定部８は、本体部８１と、当該本体部８１の左右両端から背面部４２３２に沿って延出する一対の延出部８２と、当該延出部８２の延出方向先端部から背面部４２３２に対して離間する方向に略直角に屈曲する一対の係合部８３とを備えている。
【００３９】
本体部８１は、全体略直方体形状を有し、上方に向かって開口する長方形状の開口部８１１と、当該開口部８１１の端縁のうちの長辺を形成し、互いに対向する一対の当接面８１２，８１３とを有する。
このうち、一対の当接面８１２，８１３は、背面部４２３２に沿うように形成されており、当該一対の当接面８１２，８１３には、反射部材４２３を位置調整するための治具Ｊ（図７参照）が当接する。このような一対の当接面８１２，８１３は、開口部８１１の奥行き方向（後述する治具Ｊの挿入方向）先端に向かうに従って、互いに近接する方向に傾斜した傾斜面として形成されている。そして、背面部４２３２側の当接面８１２における当該奥行き方向先端側には、治具Ｊ（具体的には、後述する先端部Ｊ２２１）の形状に応じた湾曲部８１２１（図８及び図９参照）が形成されている。
【００４０】
また、本体部８１の下端には、下方に延出する略円筒状のピン８１４が形成されている。このピン８１４は、固定部８が前述の設置部７に固定される際に、当該設置部７に形成された穴部７３１に挿入される。
更に、ピン８１４の延出方向基端側には、ピン８１４が穴部７３１に挿入された際に、支持部７３に当接する当接部８１５が形成されている。この当接部８１５は、下方に向かって膨出した湾曲面を有する。このような湾曲面を有する当接部８１５が、ピン８１４が穴部７３１を挿通した状態で支持部７３に沿って傾くことで、反射部材４２３の煽り方向の位置調整が行われる。このため、ピン８１４の外径寸法は、これらの位置調整に必要なクリアランス（ピン８１４の傾きを許容するクリアランス）を含めた上で、穴部７３１の内径寸法より小さく設定されている。
なお、詳しくは後述するが、ピン８１４の中心軸と、当接部８１５の傾斜時の中心軸との交点は、反射部材４２３に入射される光束（青色光）の光軸を延長した直線上にほぼ位置するように設定されている。
【００４１】
一対の延出部８２は、前述のように、本体部８１の左右両端から延出し、当該本体部８１とともに、背面部４２３２に接着剤等により固定される。
一対の係合部８３は、固定部８が設置部７に固定される際に、互いに近接する側部７１とガイド部７４との隙間Ｇ（図３参照）に、それぞれ挿入される。そして、反射部材４２３の位置調整の後、当該隙間Ｇには接着剤が注入され、固定部８、ひいては、反射部材４２３が設置部７に固定される。
【００４２】
〔治具の構成〕
図７は、設置部７、反射部材４２３及び治具Ｊをそれぞれ示す斜視図である。また、図８は、これらの縦断面図であり、図９は、これらを組み合わせた状態を示す縦断面図である。
治具Ｊは、前述のように、設置部７に取り付けられた反射部材４２３の固定部８に係合し、入射される光束（青色光）に対して反射部材４２３の位置調整を行うものである。この治具Ｊは、図７〜図９に示すように、当該治具Ｊを移動させる移動装置（図示省略）に固定される軸状部Ｊ１と、当該軸状部Ｊ１の先端に設けられた係合部Ｊ２とを有する。
このうち、係合部Ｊ２は、軸状部Ｊ１の外径寸法より大きい側面視略Ｌ字状に形成されている。この係合部Ｊ２は、軸状部Ｊ１の中心軸に対して直交する略直方体形状の基部Ｊ２１と、当該基部Ｊ２１の下端から突出する幅広な突出部Ｊ２２とを有する。
【００４３】
このうち、突出部Ｊ２２は、固定部８の本体部８１に形成された開口部８１１に挿入され、当該開口部８１１の端縁を形成する当接面８１２，８１３に当接する。この突出部Ｊ２２の先端部Ｊ２２１は、前述の湾曲部８１２１に応じた円弧状に形成されており、当該先端部Ｊ２２１は、当該湾曲部８１２１に当接する。これにより、治具Ｊの開口部８１１への挿入方向の荷重が、固定部８に伝わり易くなっている。
【００４４】
〔反射部材の位置調整〕
図１０は、反射部材４２３、設置部７及び治具Ｊを組み合わせた状態を示す平面図である。
以下、反射部材４２３の位置調整について説明する。
反射部材４２３は、図９及び図１０に示すように、当該反射部材４２３に設けられた固定部８の一対の係合部８３がそれぞれ隙間Ｇに挿入され、かつ、本体部８１が一対のガイド部７４間に位置するように、設置部７に取り付けられる。この際、本体部８１に設けられたピン８１４が支持部７３に形成された穴部７３１を挿通し、かつ、当接部８１５が当該支持部７３に当接されることで、固定部８、ひいては、反射部材４２３が設置部７において自立する。
【００４５】
この後、治具Ｊの突出部Ｊ２２を開口部８１１内に挿入すると、当該突出部Ｊ２２が一対の当接面８１２，８１３にそれぞれ当接する。この際、突出部Ｊ２２の先端部Ｊ２２１は、当接面８１２に形成された湾曲部８１２１に沿うように当接する。また、この状態では、軸状部Ｊ１の中心軸の延長線と、ピン８１４の中心軸の延長線とは一致する。換言すると、治具Ｊの挿入方向に沿う直線上に、ピン８１４の中心軸は位置している。
【００４６】
この状態で、図１０に示すように、治具Ｊの軸状部Ｊ１をＴ１方向（反射部材４２３が側壁４７１２から離間する方向）及びＴ２方向（反射部材４２３が側壁４７１２に近接する方向）に進退させることで、側壁４７１２に対する反射部材４２３の距離が調節される。これにより、入射される光束の光軸に沿う方向の反射部材４２３の位置が調整される。
【００４７】
また、前述の状態で、軸状部Ｊ１の中心軸を中心としてＳ１方向（上方から見て反時計回りの方向）及びＳ２方向（上方から見て時計回りの方向）に当該軸状部Ｊ１を回動させると、ピン８１４の中心軸を中心として、固定部８がそれぞれ同方向に回動する。これにより、反射部材４２３が固定部８と同方向に回動するので、入射される光束の光軸に対する反射部材４２３の左右の傾きが調整される。
【００４８】
一方、前述の状態で、軸状部Ｊ１を傾けると、支持部７３に沿って当接部８１５が揺動する。詳述すると、軸状部Ｊ１における係合部Ｊ２側とは反対側の端部を前後（Ｔ１方向及びＴ２方向）に傾けると、突出部Ｊ２２と係合する固定部８が、軸状部Ｊ１を傾けた方向、及び、ピン８１４の中心軸のそれぞれに対して直交する方向に平行で、かつ、支持部７３と当接部８１５との当接部位を通る直線を中心軸として、前後に回動する。これにより、反射部材４２３が固定部８と同方向に回動するので、入射される光束の光軸に対する上下の傾き（煽り方向の傾き）が調整される。
【００４９】
図１１は、位置調整時の反射部材４２３の回動中心と、当該反射部材４２３に入射される光束の光軸との位置関係を示す図である。なお、図１１は、反射部材４２３を正面側（光束入射側）から見た図であり、当該図１１においては、反射部材４２３に対する光束の入射領域ＡＲを、一点鎖線で示している。
ここで、位置調整時における反射部材４２３の回動中心Ｃ、すなわち、軸状部Ｊ１を時計回り及び反時計回りに回動させた際の回動軸となるピン８１４の中心軸と、当該軸状部Ｊ１を傾けた際の中心軸との交点である回動中心Ｃは、図１１に示すように、正面部４２３１に入射される光束の光軸の延長線上に位置している。換言すると、反射部材４２３の回動中心Ｃは、当該光束の入射領域ＡＲの中心を通り、かつ、当該光束の光軸の延長線上に位置している。
【００５０】
このような構成により、軸状部Ｊ１を時計回り及び反時計回りに回動させて、反射部材４２３の位置調整を行う場合に、入射領域ＡＲの左右両端部（換言すると、反射部材４２３を光束入射側から見た際にピン８１４の中心軸に対して直交する方向の両端部）の変位量を略均等にすることができる。
同様に、軸状部Ｊ１を前後（反射部材４２３に対する光束入射方向の基端側及び先端側）に傾けて、反射部材４２３の位置調整を行う場合に、入射領域ＡＲの上下両端部（換言すると、ピン８１４の中心軸を延長した直線上の両端部）の変位量を略均等にすることができる。
【００５１】
このようにして位置調整された反射部材４２３は、前述の隙間Ｇに接着剤が注入され、当該接着剤が固化することで、設置部７に固定される。このため、当該接着剤の注入の妨げとならないように、治具Ｊの基部Ｊ２１は、図１０において示したように、固定部８を平面視した際の本体部８１の寸法より小さく形成されている。
【００５２】
以上説明した本実施形態に係るプロジェクター１によれば、以下の効果がある。
固定部８は、図４において示したように、背面部４２３２の面内に位置している。これによれば、反射部材４２３を正面側（光束入射側）から見た際に、当該反射部材４２３の外側に突出する構成がない。すなわち、反射部材４２３を部品収納部材４７に取り付けた際に、当該反射部材４２３が部品収納部材４７（詳しくは、本体部４７１）の収納用開口４７１１から外側に突出しない。従って、光学装置４の小型化を図ることができる。
【００５３】
固定部８は、設置部７に対する反射部材４２３の設置方向に沿って、治具Ｊの突出部Ｊ２２が挿入される開口部８１１を有している。これによれば、当該突出部Ｊ２２を固定部８に対して挿抜しやすくすることができる。従って、反射部材４２３と治具Ｊとの係合、及び、当該係合の解除を容易に行うことができ、当該反射部材４２３の位置調整を容易に行うことができる。
【００５４】
治具Ｊにより、当該治具Ｊの開口部８１１への挿入方向に沿って延出し、かつ、穴部７３１に挿入されるピン８１４の中心軸を中心として反射部材４２３を回動させることで、当該反射部材４２３の位置調整を行うことができる。この際、反射部材４２３は、設置部７内において、固定部８を介して支持部７３により支持されるので、治具Ｊが反射部材４２３を保持する必要がない。従って、反射部材４２３の位置調整を容易に行うことができるほか、治具Ｊの構成を簡略化することができる。更には、設置部７内に固定部８を配置させておく部材を別途設ける必要がないので、部品点数の増加を抑制することができる。
【００５５】
当接部８１５は、支持部７３に向かって中央が膨出する湾曲面を有し、当該支持部７３は、当該湾曲面が当接される平坦面を有している。これによれば、これらの当接部位を支点とし、平坦面に対して湾曲面が倣う方向（ピン８１４の中心軸に対する直交方向を中心軸として回動する方向であり、あおり方向）に反射部材４２３を傾けることで、当該方向の反射部材４２３の位置調整を行うことができる。この際、ピン８１４と穴部７３１の端縁との間には、当該位置調整に必要なクリアランスが設けられているので、反射部材４２３の位置調整が妨げられることがない。従って、反射部材４２３の位置調整方向を増やすことができ、当該反射部材４２３を一層適切な位置に設置することができる。
【００５６】
治具Ｊによる反射部材４２３の回動中心Ｃは、当該反射部材４２３に入射される光束の光軸の延長線上にほぼ位置している。これによれば、前述のように、光束の入射領域ＡＲの両端（左右及び上下の両端）の変位量を略均等にすることができる。従って、反射部材４２３の位置調整を一層適切に行うことができる。また、このように位置調整がなされた反射部材４２３により、集光レンズ４１９及び入射側偏光板４４２を介して、入射された青色光を確実に液晶パネル４４１Ｂの画像形成領域に入射させることができるので、当該青色光の利用効率を向上させることができる。
【００５７】
開口部８１１の端縁を形成し、かつ、治具Ｊの突出部Ｊ２２が当接する一対の当接面８１２，８１３は、それぞれ、当該突出部Ｊ２２の挿入方向先端に向かうに従って、互いに近接する方向に傾斜した傾斜面である。これによれば、当該突出部Ｊ２２と、当接面８１２，８１３とを確実に係合させることができる。また、反射部材４２３の位置調整に際して、治具Ｊの挿入方向（すなわち、本体部４７１への反射部材４２３の装着方向）に、支持部７３上で自立する反射部材４２３の揺動を防ぐための荷重を、固定部８、ひいては、反射部材４２３に加えやすくすることができる。更に、反射部材４２３の位置調整後に、突出部Ｊ２２を開口部８１１から抜き易くすることができる。従って、反射部材４２３の位置調整を一層容易に行うことができる。
【００５８】
〔実施形態の変形〕
本発明は前述の実施形態に限定されるものではなく、本発明の目的を達成できる範囲での変形、改良等は本発明に含まれるものである。
前述の実施形態では、ピン８１４の基端に形成された当接部８１５を支持する支持部７３に、当該ピン８１４が挿入される穴部７３１が形成されるとしたが、本発明はこれに限らない。例えば、ピン８１４の基端ではなく、延出部８２の下方に当接部を形成し、当該当接部に応じた位置に支持部が位置するように構成してもよい。
【００５９】
前述の実施形態では、当接部８１５における支持部７３に対向する面を湾曲面として形成し、支持部７３における当該当接部８１５に対向する面を平坦面として形成したが、本発明はこれに限らない。例えば、支持部７３における当接部８１５に対向する面を湾曲面とし、当接部８１５における支持部７３に対向する面を平坦面としてもよい。
【００６０】
前述の実施形態では、ピン８１４は略円柱状を有するとしたが、本発明はこれに限らない。例えば、ピンの中心軸を中心として回動させることによる反射部材の位置調整が不要な場合には、当該ピンを角柱状とし、当該ピンが挿入される穴部をピンの形状に応じて形成するようにしてもよい。また、ピンを角柱状とした場合でも、当該ピンの外径寸法に対して穴部７３１の内径寸法が十分に大きい場合には、当該ピンの中心軸を回動軸として、反射部材の位置調整を行うことも可能である、
【００６１】
前述の実施形態では、治具Ｊの突出部Ｊ２２が係合する一対の当接面８１２，８１３は、当該突出部Ｊ２２の挿入方向先端側に向かうに従って、互いに近接する傾斜面として形成されているとしたが、本発明はこれに限らない。すなわち、当該一対の当接面のうち、一方の当接面のみ、突出部Ｊ２２の挿入方向先端側に向かうに従って他方に近接する方向に傾斜した傾斜面として形成してもよい。更に、これら一対の当接面は、傾斜していなくてもよく、当該突出部Ｊ２２の挿入方向に沿う互いに略平行な面であってもよい。すなわち、突出部Ｊ２２が開口部８１１の内部で係合可能であれば、当接面の形状は問わない。
【００６２】
前述の実施形態では、プロジェクター１は、３つの液晶パネル４４１を備えるとしたが、本発明はこれに限らない。すなわち、２つ以下、あるいは、４つ以上の液晶パネルを用いたプロジェクターにも、本発明を適用可能である。
前述の実施形態では、光学装置４は平面視略Ｌ字形状を有した構成を説明したが、これに限らず、他の形状を有していても良い、例えば、平面視略Ｕ字形状を有した構成を採用してもよい。
前述の実施形態では、光束入射面と光束射出面とが異なる透過型の液晶パネル４４１を用いていたが、光入射面と光射出面とが同一となる反射型の液晶パネルを用いてもよい。
【００６３】
前述の実施形態では、光変調装置として液晶パネル４４１を備えたプロジェクター１を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。このような光変調装置を用いた場合、光束入射側及び光束射出側の偏光板４４２，４４３は省略することができる。
【００６４】
前述の実施形態では、本発明の光学装置を採用したプロジェクター１を例示したが、本発明はこれに限らない。例えば、カメラ等の撮像装置、及び、照明装置をそれぞれ構成する光学装置に、本発明を適用することも可能である。
【産業上の利用可能性】
【００６５】
本発明は、光学装置に採用することができ、特にプロジェクターに利用される光学装置に好適に利用することができる。
【符号の説明】
【００６６】
１…プロジェクター、４…光学装置、７…設置部、８…固定部、７３…支持部、７３１…穴部、８１１…開口部、８１２，８１３…当接面、８１４…ピン、８１５…当接部、４７１…部品収納部材（筐体）、４２３１…正面部、４２３２…背面部、４７１１…収納用開口、Ｃ…回動中心（交点）、Ｊ…治具。
【図１】
2010190926.tif 000003
【図２】
2010190926.tif 000004
【図３】
2010190926.tif 000005
【図４】
2010190926.tif 000006
【図５】
2010190926.tif 000007
【図６】
2010190926.tif 000008
【図７】
2010190926.tif 000009
【図８】
2010190926.tif 000010
【図９】
2010190926.tif 000011
【図１０】
2010190926.tif 000012
【図１１】
2010190926.tif 000013